(57)【要約】【課題】消費電力を低減するとともに、ユーザの利便性を高めた電子機器を提供することにある。【解決手段】動作することによって電力を消費する電力消費部７０と、電力消費部７０が設置される環境における光の照度を検出する光センサ３０と、光センサ３０によって検出された照度から算出される照度の単位時間あたりの減少量が第１のしきい値以上である場合に、電力消費部７０の動作モードを通常モードよりも消費電力が低いスタンバイモードに移行させる移行部２０１と、を備える。【選択図】図４
2011013722.tif 000002
【特許請求の範囲】
【請求項１】
動作することによって電力を消費する電力消費部と、
前記電力消費部が設置される環境における光の照度を検出する検出部と、
前記検出部によって検出された照度から算出される前記照度の単位時間あたりの減少量が第１のしきい値以上である場合に、前記電力消費部の動作状態を通常の稼働状態よりも消費電力が低い省電力状態に移行させる移行部と、
を備えることを特徴とする電子機器。
【請求項２】
前記移行部は、予め定められた条件を満たす場合には、前記照度の単位時間あたりの減少量が前記第１のしきい値以上であっても、前記電力消費部の動作状態を前記省電力状態に移行させず、前記通常の稼働状態とすることを特徴とする請求項１に記載の電子機器。
【請求項３】
前記移行部は、前記検出部によって検出された光の照度に基づいて、前記第１のしきい値を変更することを特徴とする請求項１又は２に記載の電子機器。
【請求項４】
前記移行部は、前記検出部によって検出された照度から算出される前記照度の単位時間あたりの減少量が第１のしきい値以上であり、かつ、前記検出部によって検出された照度の値が、前記照度の単位時間あたりの減少量が第１のしきい値以上となる前に検出された照度の値から第１のしきい値以上低下した値を一定時間継続した場合に、前記電力消費部の動作状態を前記省電力状態に移行させることを特徴とする請求項１から３のいずれか一項記載の電子機器。
【請求項５】
前記移行部は、前記電力消費部の動作状態が省電力状態にあり、前記照度の単位時間あたりの増加量が第２のしきい値以上である場合に、前記電力消費部の動作状態を、通常の稼働状態よりも消費電力が低く、省電力状態よりも消費電力が高い待機状態に移行させることを特徴とする請求項１から４のいずれか一項記載の電子機器。
【請求項６】
前記移行部は、前記検出部によって検出された光の照度に基づいて、前記第２のしきい値を変更することを特徴とする請求項５に記載の電子機器。
【請求項７】
前記移行部は、前記照度の単位時間あたりの増加量が第２のしきい値以上であり、かつ、前記検出部によって検出される照度の値が、前記照度の単位時間あたりの増加量が第２のしきい値以上となる前に検出された照度の値から第２のしきい値以上上昇した値を一定時間継続した場合に、前記電力消費部の動作状態を前記待機状態に移行させることを特徴とする請求項５又は６に記載の電子機器。
【請求項８】
前記電力消費部は表示部及び情報処理部のうち、少なくとも一方であることを特徴とする請求項１から７のいずれか一項記載の電子機器。
【請求項９】
前記電力消費部は、表示部及び情報処理部であり、
前記待機状態とは、前記表示部の動作状態が省電力状態であり、前記情報処理部の動作状態が通常状態であることを特徴とする請求項５から７のいずれか一項記載の電子機器。
【発明の詳細な説明】
【技術分野】
【０００１】
本発明は、電子機器に関する。
【背景技術】
【０００２】
消費電力を低減するために、ユーザからの操作入力等を一定時間以上検知しない場合に、機器の動作モード（動作状態）を通常モード（通常の稼働状態）からスタンバイモード（省電力状態）へ移行させる電子機器が知られている。ここで、スタンバイモードとは、通常モードよりも消費電力が少ない電子機器の動作モードのことをいう。しかし、従来の電子機器では、ユーザが電子機器のそばを離れても、一定の時間が経過しなければスタンバイモードへと移行しないので無駄な電力が消費されてしまう。そこで、センサによって電子機器の周囲の明るさ（照度）を検知し、検知した照度に基づいて、機器の動作モードを通常モードと、スタンバイモード（省電力状態）との間で切替える電子機器が提案されている（例えば、特許文献１〜４）。
【先行技術文献】
【特許文献】
【０００３】
【特許文献１】特開２００７−３２３２５７号公報
【特許文献２】特開２００２−１６９４４６号広報
【特許文献３】特開２００７−２８０５１２号広報
【特許文献４】特開２００４−１７５０９９号広報
【発明の概要】
【発明が解決しようとする課題】
【０００４】
しかしながら、上記特許文献１〜４のような技術は、照度そのものの値のみに基づいて動作モードを切替えるため、電子機器を使用するユーザの利便性を的確に考慮できていない可能性がある。
【０００５】
本発明は、上記の事情に鑑みて成されたものであり、消費電力を低減するとともに、ユーザの利便性を高めた電子機器を提供することにある。
【課題を解決するための手段】
【０００６】
上記課題を解決するために、明細書開示の電子機器は、動作することによって電力を消費する電力消費部と、前記電力消費部が設置される環境における光の照度を検出する検出部と、前記検出部によって検出された照度から算出される前記照度の単位時間あたりの減少量が第１のしきい値以上である場合に、前記電力消費部の動作状態を通常の稼働状態よりも消費電力が低い省電力状態に移行させる移行部と、を備える。
【発明の効果】
【０００７】
明細書開示の電子機器によれば、消費電力を低減するとともに、電子機器を使用するユーザの利便性を高めることができる。
【図面の簡単な説明】
【０００８】
【図１】ノート型ＰＣのシステム構成の一例を示した図である。
【図２】ＰＣがデスクトップ型パソコンである場合のシステム構成の一例を示した図である。
【図３】テレビのシステム構成の一例を示した図である。
【図４】情報処理部が有する機能を実現する手段の一例を示す機能ブロック図である。
【図５】移行部が実行する処理の一例を示すフローチャートである。
【図６】移行部が実行する処理の一例を示すフローチャートである。
【図７】移行部が実行する処理の一例を示すフローチャートである。
【図８】ＰＣが設置された環境の光の照度の変化と、動作モードとの関係を示す図である。
【図９】ＰＣが設置された環境の光の照度の変化と、動作モードとの関係を示す図である。
【図１０】ＰＣが設置された環境の光の照度の変化と、動作モードとの関係を示す図である。
【図１１】周囲環境及びユーザ作業に対する、ＰＣの動作モードを示した模式図である。
【発明を実施するための形態】
【０００９】
以下、本発明の実施形態について、添付図面を参照しつつ説明する。
【００１０】
本件の電子機器の一実施形態として、ノート型のパーソナルコンピュータ（以下、ＰＣと略記する）を採用する。図１は、ノート型のＰＣのシステム構成の一例を示した図である。
ＰＣ１００は、液晶表示部１０、情報処理部２０、光センサ（検出部）３０、電源スイッチ４０、ディスク部５０、及びキーボード６０を備える。
【００１１】
液晶表示部１０は、画像及び文字情報を表示する。また、液晶表示部１０にタッチパネル液晶を採用することも可能である。この場合、タッチパネル液晶は、データ入力デバイスとして機能する。
【００１２】
光センサ３０は、ＰＣ１００に設置され、ＰＣ１００の周囲の照度を検出する。なお、ＰＣ１００に設置される光センサ３０の数は、１つでも良いし、複数設置されていても良い。
【００１３】
電源スイッチ４０は、ＰＣ１００の電源のＯＮ及びＯＦＦを行う。
【００１４】
キーボード６０は、データ入力デバイスである。情報処理部２０にデータ入力デバイスとして、キーボード６０の他、マウスやジョイスティック等を接続することも可能である。
【００１５】
ディスク部５０は、外部記憶手段であり、データの保存や一時的なＲＡＭの内容の保存にも使用される。
【００１６】
情報処理部２０は、光センサ３０、電源スイッチ４０、キーボード６０から受付けた信号に基づいて、情報処理を実行し、ＰＣ１００全体の動作を制御する。情報処理部２０は、ＲＯＭ（Read Only Memory）２１、ＣＰＵ(Central Processing Unit：中央処理装置)２２、及びＲＡＭ(Random Access Memory)２３を備える。また、情報処理部２０は、情報処理部２０に接続される各部と信号の入出力を行う入出力部としての液晶制御部１１、キーボードコントローラ６１、ハードディスクコントローラ５１、電源制御部４１、及びセンサ制御部３１を備える。
【００１７】
液晶制御部１１は、液晶表示部１０へ画像及び文字情報の信号出力を行う。液晶表示部１０がタッチパネル液晶を採用している場合、液晶制御部１１は、液晶表示部１０上でユーザの指先等が接触した位置情報等を取得する。また、液晶制御部１１は、液晶表示部１０の動作モードを制御する。
【００１８】
ＲＯＭ２１は、ＰＣ１００の制御にかかわるプログラムや、ＰＣ１００の動作モードを決定するプログラム（詳細は後述する）等を格納する。ＣＰＵ２２は、ＲＯＭ２１に格納されたプログラムを読み込んで実行する。ＲＡＭ２３は、プログラムを実行する際に使用される一時的なデータを保存する。
【００１９】
センサ制御部３１は、光センサ３０が照度を検出するタイミング等を制御する。その結果、センサ制御部３１には、制御したタイミングで光センサ３０の検出した照度が入力される。
【００２０】
電源制御部４１は、ＰＣ１００への電源供給を制御する。
【００２１】
ハードディスクコントローラ５１は、ディスク部５０へのデータの書き込み及び読み出しを制御する。
【００２２】
キーボードコントローラ６１は、キーボード６０からの各種データ入力を受付ける。
【００２３】
なお、本件の電子機器の一実施形態としてノート型ＰＣを採用したが、ＰＣ１００にデスクトップ型ＰＣを採用しても良い。図２は、ＰＣ１００がデスクトップ型ＰＣである場合のシステム構成の一例を示した図である。
【００２４】
ＰＣ１００がデスクトップ型ＰＣである場合、ＰＣ１００は、表示装置１１０と、情報処理装置１２０と、情報処理装置１２０に接続されるキーボード６０を備える。キーボード６０と情報処理装置１２０を構成する情報処理部２０、電源スイッチ４０、及びディスク部５０とは、図１で説明した構成と同一であるため、説明を省略する。
【００２５】
表示装置１１０は、液晶表示部１０と光センサ３０とを備える。液晶表示部１０は、情報処理装置１２０と別体で構成された表示装置１１０に備えられているが、液晶表示部１０が有する機能は図１で説明した機能と同様である。なお、表示装置１１０と情報処理装置１２０とが一体となったデスクトップ型ＰＣを、本件の電子機器としても良い。
【００２６】
光センサ３０は、表示装置１１０の前面、背面、側面等に設置される。なお、光センサ３０は、表示装置１１０に設置されるのではなく、情報処理装置１２０に設置されても良い。あるいは、表示装置１１０、情報処理装置１２０ではなく、ユーザがＰＣ１００を使用する机の上等に設置しても良い。
【００２７】
また、本件の電子機器の一実施形態として、図３に示すテレビを採用しても良い。図３は、テレビのシステム構成の一例を示した図である。
テレビ１３０は、液晶表示部１０Ｔ、情報処理部２０Ｔ、光センサ３０Ｔ、電源スイッチ４０Ｔ、を備える。情報処理部２０は、ＣＰＵ２２Ｔ、ＲＡＭ２３Ｔ、及びＲＯＭ２１Ｔを備える。また、情報処理部２０Ｔは、情報処理部２０Ｔに接続される各部と信号の入出力を行う入出力部としての液晶制御部１１Ｔ、電源制御部４１Ｔ、センサ制御部３１Ｔ、及び映像入力部８０Ｔを備える。
【００２８】
ＰＣ１００の構成と同一の構成については、図１において用いた符号の最後にＴを付し説明を省略する。映像入力部８０Ｔは、放送局等から配信された映像信号を受付け、液晶制御部１１Ｔを介して、液晶表示部１０Ｔに出力する。
【００２９】
以後、本実施形態では、図１で示したＰＣ１００について説明を行う。
【００３０】
次に、図４を用いて、情報処理部２０が有する機能を実現する手段について説明する。図４は、情報処理部２０が有する機能を実現する手段の一例を示す機能ブロック図である。ここで、前述した液晶表示部１０及び情報処理部２０は、動作することによって電力を消費する。従って、本実施形態では、液晶表示部１０及び情報処理部２０を併せて、電力消費部７０と記載する。
【００３１】
情報処理部２０は、情報処理部２０が有する機能を実現する手段として移行部２０１を備える。移行部２０１の機能は、ＣＰＵ２２がＲＯＭ２１に格納されたプログラムを実行することにより実現される。また、ＲＯＭ２１に格納されたプログラムの実行に係る信号の入力（取得）及び出力は、液晶制御部１１、センサ制御部３１、及びキーボードコントローラ６１等を介して、各ハードウェアとの間で行われる。
【００３２】
移行部２０１は、光センサ３０から、一定の間隔（例えば、１秒）で、ＰＣ１００が設置された環境の光の照度を取得する。そして、移行部２０１は、光センサ３０から取得した光の照度の単位時間当たりの増加量及び減少量に基づいて、電力消費部７０の動作モードを、通常モード（通常の稼働状態）、スタンバイモード（省電力状態）、及び待機モード（待機状態）の間で移行させる。ここで、本実施形態の電力消費部７０において、通常モードとは、液晶表示部１０及び情報処理部２０が通常の稼働状態にあることをいう。そして、電力消費部７０において、待機モードとは、液晶表示部１０が電源の供給を受けず画像を表示しない省電力状態にあり、情報処理部２０が通常の稼働状態にあることをいう。そして、電力消費部７０において、スタンバイモードとは、液晶表示部１０及び情報処理部２０が省電力状態にあることをいう。消費電力は、通常モード、待機モード、スタンバイモードの順に低下する。
【００３３】
また、移行部２０１は、キーボード６０からの入力を検知すると、電力消費部７０の動作モードを、通常モードへ移行させる。
【００３４】
次に、移行部２０１が実行する処理の一例について説明する。図５〜図７は、移行部２０１が実行する処理の一例を示すフローチャートである。
【００３５】
まず、移行部２０１は、電力消費部７０を通常モードで稼働させる（ステップＳ１０）。
【００３６】
次に、移行部２０１は、ＰＣ１００にケーブルが接続されているか否か、又は、特定のプログラムが実行されているか否か判定する（ステップＳ１１）。ここで、ＰＣ１００にケーブルが接続されているとは、例えば、ＰＣ１００とプロジェクタとを接続するためのケーブルが、ＰＣ１００に接続されていることをいう。また、特定のプログラムが実行されているとは、予めユーザが指定したプログラムが実行されていることをいう。なお、ステップＳ１１の判定に用いる条件は、本実施形態に限られるものではなく、例えば、動画を再生中か否か、あるいは、スライドショーを実行中か否かを、予め定められた判定条件として採用することもできる。
【００３７】
移行部２０１は、ステップＳ１１での判定がＹＥＳの場合、電力消費部７０の動作モードを通常モードで稼働させる（ステップＳ１０）。一方、移行部２０１は、ステップＳ１１での判定がＮＯの場合、移行部２０１は、照度を一定間隔（例えば、１秒間隔）で測定する（ステップＳ１２）。
【００３８】
次に、移行部２０１は、前回照度を取得した時の照度が５００ルクス（ｌｘ）以上か否か判定する（ステップＳ１３）。以後、前回照度を取得した時の照度を、前回取得時の照度と記載する。
【００３９】
前回取得時の照度が５００ルクス以上であった場合（ステップＳ１３／ＹＥＳ）、移行部２０１は、第１のしきい値及び第２のしきい値を前回取得時の照度に基づいて変更する（ステップＳ１４）。つまり、ＰＣ１００が設置された環境における光の照度に基づいて、第１のしきい値及び第２のしきい値を変更する。例えば、移行部２０１は、前回取得時の照度が５００ルクス以上であった場合、第１のしきい値及び第２のしきい値を４００ルクスに変更する。
【００４０】
移行部２０１は、今回取得した照度が、前回取得時の照度から第１のしきい値以上低下したか否か判定する（ステップＳ１５）。つまり、移行部２０１は、単位時間あたりの照度の減少量が第１のしきい値以上か否かを判定する。以後、今回取得した照度を、今回取得時の照度と記載する。
【００４１】
移行部２０１は、今回取得時の照度が、前回取得時の照度から第１のしきい値以上低下していない場合（ステップＳ１５／ＮＯ）、ステップＳ１２から再び処理を実行する。一方、移行部２０１は、今回取得時の照度が、前回取得時の照度から第１のしきい値以上低下した場合（ステップＳ１５／ＹＥＳ）、第１のしきい値以上低下した値が一定時間（例えば、５秒間）継続したか否か判定する（ステップＳ１６）。例えば、前回取得時の照度が８５０ルクスであったとする。この場合、移行部２０１は、光センサ３０から取得する照度において、前回取得時の照度８５０ルクスから４００ルクス低下した値である４５０ルクス以下の値が、５秒間継続したか否かを判定する。
【００４２】
移行部２０１は、第１のしきい値以上低下した値が一定時間継続しなかった場合（ステップＳ１６／ＮＯ）、ステップＳ１２から再び処理を実行する。移行部２０１は、第１のしきい値以上低下した値が一定時間継続した場合（ステップＳ１６／ＹＥＳ）、電力消費部７０の動作モードをスタンバイモードに移行させる（ステップＳ１７）。そして、移行部２０１は、照度を一定間隔で取得する（ステップＳ１８）。
【００４３】
次に、移行部２０１は、今回取得時の照度が、前回取得時の照度から第２のしきい値以上上昇したか否か判定する（ステップＳ１９）。移行部２０１は、今回取得時の照度が、前回取得時の照度から第２のしきい値以上上昇していない場合（ステップＳ１９／ＮＯ）、ステップＳ１７から再び処理を実行する。移行部２０１は、今回取得時の照度が、前回取得時の照度から第２のしきい値以上上昇していた場合（ステップＳ１９／ＹＥＳ）、第２のしきい値以上上昇した値が一定時間継続したか否かを判定する（ステップＳ２０）。
【００４４】
移行部２０１は、第２のしきい値以上上昇した値が一定時間継続しなかった場合（ステップＳ２０／ＮＯ）、ステップＳ１７から再び処理を実行する。移行部２０１は、第２のしきい値以上上昇した値が一定時間継続した場合（ステップＳ２０／ＹＥＳ）、電力消費部７０の動作モードを待機モードに移行させる（ステップＳ２１）。
【００４５】
移行部２０１は、電力消費部７０の動作モードが待機モードにある場合に、ユーザからの操作入力を受付けたか否か判定する（ステップＳ２２）。移行部２０１は、ユーザからの操作入力を受付けていない場合（ステップＳ２２／ＮＯ）、ステップＳ１２から処理を実行する。ステップＳ１３からステップＳ１５までの判定が全てＹＥＳの場合、電力消費部７０の動作モードは、待機モードからスタンバイモードへと移行する。
【００４６】
移行部２０１は、ユーザからの操作入力を受付けた場合（ステップＳ２２／ＹＥＳ）、動作モードを通常モードに移行させる（ステップＳ２３）。そして、移行部２０１は、ユーザからシャットダウン操作を受付けたか否か判定する（ステップＳ２４）。移行部２０１は、ユーザからシャットダウン操作を受付けた場合（ステップＳ２４／ＹＥＳ）、処理を終了する。一方、移行部２０１は、ユーザからシャットダウンの操作を受付けていない場合（ステップＳ２４／ＮＯ）、ステップＳ１２から再び処理を実行する。
【００４７】
移行部２０１は、前回取得時の照度が５００ルクス以上でない場合（ステップＳ１３／ＮＯ）、図６のＡに進み、前回取得時の照度が３００ルクス以上か否かを判定する（ステップＳ３１）。前回取得時の照度が３００ルクス以上の場合（ステップＳ３１／ＹＥＳ）、移行部２０１は、ステップＳ１４で変更した第１のしきい値及び第２のしきい値とは違う値に、第１のしきい値及び第２のしきい値を変更する。例えば、移行部２０１は、ＰＣ１００が設置された環境の照度が３００ルクス以上５００ルクス未満であることに基づき、第１のしきい値及び第２のしきい値を２００ルクスに変更する。
【００４８】
移行部２０１は、今回取得時の照度が、前回取得時の照度から第１のしきい値以上低下したか否か判定する（ステップＳ３３）。
【００４９】
移行部２０１は、今回取得時の照度が、前回取得時の照度から第１のしきい値以上低下していない場合（ステップＳ３３／ＮＯ）、図５のＣに進み、ステップＳ１２から再度処理を実行する。一方、移行部２０１は、今回取得時の照度が前回取得時の照度から第１のしきい値以上低下している場合（ステップＳ３３／ＹＥＳ）、第１のしきい値以上低下した値が一定時間継続しているか否か判定する（ステップＳ３４）。
【００５０】
移行部２０１は、第１のしきい値以上低下した値が一定時間継続しなかった場合（ステップＳ３４／ＮＯ）、図５のＣに進み、ステップＳ１２から再度処理を実行する。一方、移行部２０１は、第１のしきい値以上低下した値が一定時間継続した場合（ステップＳ３４／ＹＥＳ）、電力消費部７０の動作モードをスタンバイモードに移行する（ステップＳ３５）。そして、移行部２０１は、照度を一定間隔で取得する（ステップＳ３６）。
【００５１】
次に、移行部２０１は、今回取得時の照度が、前回取得時の照度から第２のしきい値以上上昇したか否か判定する（ステップＳ３７）。移行部２０１は、今回取得時の照度が、前回取得時の照度から第２のしきい値以上上昇していない場合（ステップＳ３７／ＮＯ）、ステップＳ３５から再び処理を実行する。移行部２０１は、今回取得時の照度が、前回取得時の照度から第２のしきい値以上上昇していた場合（ステップＳ３７／ＹＥＳ）、第２のしきい値以上上昇した値が一定時間継続したか否かを判定する（ステップＳ３８）。
【００５２】
移行部２０１は、第２のしきい値以上上昇した値が一定時間継続しなかった場合（ステップＳ３８／ＮＯ）、ステップＳ３５から再び処理を実行する。移行部２０１は、第２のしきい値以上上昇した値が一定時間継続した場合（ステップＳ３８／ＹＥＳ）、電力消費部７０の動作モードを待機モードに移行させる（ステップＳ３９）。
【００５３】
移行部２０１は、電力消費部７０の動作モードが待機モードにある場合に、ユーザからの操作入力を受付けたか否か判定する（ステップＳ４０）。移行部２０１は、ユーザからの操作入力を受付けていない場合（ステップＳ４０／ＮＯ）、図５のＣに進み、ステップＳ１２から処理を実行する。
【００５４】
移行部２０１は、ユーザからの操作入力を受付けた場合（ステップＳ４０／ＹＥＳ）、動作モードを通常モードに移行させる（ステップＳ４１）。そして、移行部２０１は、ユーザからシャットダウン操作を受付けたか否か判定する（ステップＳ４２）。移行部２０１は、ユーザからシャットダウン操作を受付けた場合（ステップＳ４２／ＹＥＳ）、図５のＤに進み、処理を終了する。一方、移行部２０１は、ユーザからシャットダウンの操作を受付けていない場合（ステップＳ４２／ＮＯ）、図５のＣに進み、ステップＳ１２から再び処理を実行する。
【００５５】
移行部２０１は、前回取得時の照度が３００ルクス以上でない場合（ステップＳ３１／ＮＯ）、図７のＢに進み、前回取得時の照度は１００ルクス以上か否かを判定する（ステップＳ５１）。前回取得時の照度が１００ルクス以上の場合（ステップＳ５１／ＹＥＳ）、移行部２０１は、ステップＳ１４及びステップＳ３２で変更した値とは違う値に、第１のしきい値及び第２のしきい値を変更する。例えば、移行部２０１は、ＰＣ１００の設置された環境の照度が１００ルクス以上３００ルクス未満であることに基づき、第１のしきい値及び第２のしきい値を１００ルクスに変更する。
【００５６】
移行部２０１は、今回取得時の照度が前回取得時の照度から第１のしきい値以上低下したか否か判定する（ステップＳ５３）。
【００５７】
移行部２０１は、今回取得時の照度が前回取得時の照度から第１のしきい値以上低下していない場合（ステップＳ５３／ＮＯ）、図５のＣに進み、ステップＳ１２から再度処理を実行する。一方、移行部２０１は、今回取得時の照度が前回取得時の照度から第１のしきい値以上低下している場合（ステップＳ５３／ＹＥＳ）、第１のしきい値以上低下した値が一定時間継続しているか否か判定する（ステップＳ５４）。
【００５８】
移行部２０１は、第１のしきい値以上低下した値が一定時間継続しなかった場合（ステップＳ５４／ＮＯ）、図５のＣに進み、ステップＳ１２から再度処理を実行する。一方、移行部２０１は、第１のしきい値以上低下した値が一定時間継続した場合（ステップＳ５４／ＹＥＳ）、移行部２０１は電力消費部の動作モードをスタンバイモードに移行させる（ステップＳ５５）。そして、移行部２０１は、照度を一定間隔で取得する（ステップＳ５６）。
【００５９】
次に、移行部２０１は、今回取得時の照度が、前回取得時の照度から第２のしきい値以上上昇したか否か判定する（ステップＳ５７）。移行部２０１は、今回取得時の照度が、前回取得時の照度から第２のしきい値以上上昇していない場合（ステップＳ５７／ＮＯ）、ステップＳ５５から再び処理を実行する。移行部２０１は、今回取得時の照度が、前回取得時の照度から第２のしきい値以上上昇していた場合（ステップＳ５７／ＹＥＳ）、第２のしきい値以上上昇した値が一定時間継続したか否かを判定する（ステップＳ５８）。
【００６０】
移行部２０１は、第２のしきい値以上上昇した値が一定時間継続しなかった場合（ステップＳ５８／ＮＯ）、ステップＳ５５から再び処理を実行する。移行部２０１は、第２のしきい値以上上昇した値が一定時間継続した場合（ステップＳ５８／ＹＥＳ）、電力消費部７０の動作モードを待機モードに移行させる（ステップＳ５９）。
【００６１】
移行部２０１は、電力消費部７０の動作モードが待機モードにある場合に、ユーザからの操作入力を受付けたか否か判定する（ステップＳ６０）。移行部２０１は、ユーザからの操作入力を受付けていない場合（ステップＳ６０／ＮＯ）、図５のＣに進み、ステップＳ１２から処理を実行する。
【００６２】
移行部２０１は、ユーザからの操作入力を受付けた場合（ステップＳ６０／ＹＥＳ）、動作モードを通常モードに移行させる（ステップＳ６１）。そして、移行部２０１は、ユーザからシャットダウン操作を受付けたか否か判定する（ステップＳ６２）。
【００６３】
移行部２０１は、ユーザからシャットダウンの操作を受付けていない場合（ステップＳ６２／ＮＯ）、図５のＣに進み、ステップＳ１２から再び処理を実行する。一方、移行部２０１は、ユーザからシャットダウン操作を受付けた場合（ステップＳ６２／ＹＥＳ）、図５のＤに進み、処理を終了する。
【００６４】
次に、図８〜図１０を用いて、前述した処理によって実現される動作モードの移行について、ＰＣ１００が設置された環境毎に説明する。
図８〜図１０は、ＰＣ１００が設置された環境の光の照度の変化と、動作モードとの関係を示す図である。図８〜図１０において、上部のグラフは経過時間と照度との関係を示しており、下部のグラフは経過時間と動作モードとの関係を示している。
【００６５】
図８において、ＰＣ１００が設置された環境の照度は、およそ８００ルクス〜９００ルクスで推移している。そこで、移行部２０１が、ＰＣ１００が設置された環境の照度（５００ルクス以上）に基づき、第１のしきい値及び第２のしきい値を４００ルクスに変更したとする。
【００６６】
ＰＣが設置された環境の照度はＡにおいて低下し、前回取得時（Ａ’）の照度と今回取得時（Ａ）の照度との差が４００ルクス以上となっている。そして、Ａにおいて照度が低下した後、Ａ’における照度から４００ルクス以上低下した値が一定時間（５秒間）継続している。そこで、移行部２０１は、Ａ’における照度から４００ルクス以上低下した値が一定時間継続したＢの時点で、電力消費部７０の動作モードをスタンバイモードに移行させる。
【００６７】
また、ＰＣ１００が設置された環境の照度は、Ｂの時点からは３００ルクスから４００ルクスの間で推移しているが、Ｃにおいて上昇し、前回取得時（Ｃ’）の照度と今回取得時（Ｃ）の照度との差が４００ルクス以上となっている。そして、Ｃにおいて照度が上昇した後、Ｃ’における照度よりも４００ルクス以上上昇した値が一定時間（５秒間）継続している。従って、移行部２０１は、４００ルクス以上上昇した値が一定時間継続したＤの時点で、動作モードを待機モードへ移行させる。
【００６８】
ＰＣ１００が設置された環境の照度は、Ｄの時点からＥ’の時点までは、８００ルクス〜９００ルクスで推移しているが、Ｅの時点においてＥ’の照度から４００ルクス以上低下している。しかし、Ｅ’の照度から４００ルクス以上低下した値は２秒間しか継続せず、３秒後のＦの時点では照度は約８００ルクスとなっている。従って、Ｅ’の照度から４００ルクス以上低下した値が一定時間継続しなかったため、移行部２０１は動作モードを待機モードのままとする。
【００６９】
ＰＣ１００が設置された環境の照度は、Ｇにおいて低下し、今回取得時（Ｇ）の照度は、前回取得時（Ｇ’）の照度から４００ルクス以上低下した値となっている。そして、Ｇにおいて照度が低下した後、照度がＧ’における照度よりも４００ルクス以上低い値を一定時間継続している。従って、移行部２０１は、照度が４００ルクス以上低い値を一定時間継続した時点で、電力消費部７０の動作モードを再びスタンバイモードへと移行させる。
【００７０】
また、ＰＣ１００が設置された環境の照度は、Ｈにおいて上昇し、前回取得時（Ｈ’）の照度と今回取得時（Ｈ）の照度との差が４００ルクス以上となっている。そして、Ｈにおいて照度が上昇した後、Ｈ’における照度よりも４００ルクス以上上昇した値が一定時間継続している。従って、移行部２０１は、Ｈ’における照度から４００ルクス以上上昇した値が一定時間継続したＩの時点で、動作モードを待機モードへ移行させる。
【００７１】
次に、図９を用いて、ＰＣ１００が設置された環境の照度が図８の場合よりも低い場合について説明する。図９において、ＰＣ１００が設置された環境の照度は、およそ３５０ルクス〜５００ルクスで推移している。そこで、移行部２０１が、ＰＣ１００が設置された環境の照度（３００ルクス以上５００ルクス未満）に基づいて、第１のしきい値及び第２のしきい値を２００ルクスに変更したとする。
【００７２】
ＰＣ１００が設置された環境の照度はＡにおいて低下し、前回取得時（Ａ’）の照度と今回取得時（Ａ）の照度との差が２００ルクス以上となっている。そして、Ａにおいて照度が低下したあと、Ａ’における照度よりも２００ルクス以上低下した値が一定時間（５秒間）継続している。そこで、移行部２０１は、Ａ’における照度よりも２００ルクス以上低下した値が一定時間継続したＢの時点で、電力消費部７０の動作モードをスタンバイモードに移行させる。
【００７３】
また、ＰＣ１００が設置された環境の照度は、Ｂの時点からは１００ルクス〜２００ルクスの間で推移しているが、Ｃにおいて上昇し、前回取得時（Ｃ’）の照度と今回取得時（Ｃ）の照度との差が２００ルクス以上となっている。そして、Ｃにおいて照度が上昇した後、Ｃ’における照度よりも２００ルクス以上上昇した値が一定時間（５秒間）継続している。従って、移行部２０１は、Ｃ’における照度が２００ルクス以上上昇した値を一定時間継続したＤの時点で、電力消費部７０の動作モードを待機モードへ移行させる。
【００７４】
ＰＣ１００が設置された環境の照度は、Ｄの時点からＥ’の時点までは、３５０ルクス〜４５０ルクスで推移しているが、Ｅの時点において２００ルクス以上低下している。しかし、Ｅ’における照度から２００ルクス以上低下した値は２秒間しか継続せず、３秒後のＦの時点では照度は約４００ルクスとなっている。従って、Ｅ’における照度から２００ルクス以上低下した値が一定時間継続しなかったため、移行部２０１は、電力消費部７０の動作モードを待機モードのままとする。
【００７５】
ＰＣ１００が設置された環境の照度は、Ｇにおいて低下し、今回取得時（Ｇ）の照度は、前回取得時（Ｇ’）の照度から２００ルクス以上低下した値となっている。そして、Ｇにおいて照度が低下した後、Ｇ’における照度よりも２００ルクス以上低い値を一定時間継続している。従って、移行部２０１は、照度が２００ルクス以上低い値を一定時間継続した時点で、電力消費部７０の動作モードを再びスタンバイモードへと移行させる。
【００７６】
また、ＰＣ１００が設置された環境の照度は、Ｈにおいて上昇し、前回取得時（Ｈ’）の照度と今回取得時（Ｈ）の照度との差が４００ルクス以上となっている。そして、Ｈにおいて照度が上昇した後、Ｈ’における照度よりも２００ルクス以上上昇した値が一定時間継続している。従って、移行部２０１は、Ｈ’における照度よりも２００ルクス以上上昇した値を一定時間継続したＩの時点で、動作モードを待機モードへ移行させる。
【００７７】
次に、図１０を用いて、ＰＣ１００が設置された環境の照度が図８及び図９の場合よりも低い場合について説明する。図１０において、ＰＣ１００が設置された環境の照度は、およそ２００ルクス〜３００ルクスで推移している。そこで、移行部２０１が、ＰＣ１００が設置された環境の照度の照度（１００ルクス以上、３００ルクス未満）に基づいて、第１のしきい値及び第２のしきい値を１００ルクスに変更したとする。
【００７８】
ＰＣ１００が設置された環境の照度はＡにおいて低下し、前回取得時（Ａ’）の照度と今回取得時（Ａ）の照度との差が１００ルクス以上となっている。そして、Ａにおいて照度が低下したあと、Ａ’における照度から１００ルクス以上低下した値が一定時間（５秒間）継続している。そこで、移行部２０１は、Ａ’における照度から１００ルクス以上低下した値が一定時間継続したＢの時点で、電力消費部７０の動作モードをスタンバイモードに移行する。
【００７９】
また、ＰＣ１００が設置された環境の照度は、Ｂの時点からは０ルクス〜１００ルクスの間で推移しているが、Ｃにおいて上昇し、前回取得時（Ｃ’）の照度と今回取得時（Ｃ）の照度との差が１００ルクス以上となっている。そして、Ｃにおいて照度が上昇した後、Ｃ’における照度よりも１００ルクス以上上昇した値が一定時間（５秒間）継続している。従って、移行部２０１は、Ｃ’における照度よりも１００ルクス以上上昇した値が一定時間継続したＤの時点で、電力消費部７０の動作モードを待機モードへ移行させる。
【００８０】
ＰＣ１００が設置された環境の照度は、Ｄの時点からＥ’の時点までは、１８０ルクス〜２５０ルクスで推移している。そこで、移行部２０１が、ＰＣ１００が設置された環境の照度（１００ルクス以上３００ルクス未満）に基づいて、第１のしきい値及び第２のしきい値を１００ルクスに変更したとする。
【００８１】
ＰＣ１００が設置された環境の照度はＥの時点で低下している。しかし、前回取得時（Ｅ’）の照度と今回取得時（Ｅ）の照度との差が１００ルクス以上ではないため、移行部２０１は、電力消費部７０の動作モードを待機モードのままとする。
【００８２】
ＰＣ１００が設置された環境の照度は、Ｇにおいて低下し、今回取得時（Ｆ）の照度は、前回取得時（Ｆ’）の照度から１００ルクス以上低下した値となっている。しかし、Ｆ’における照度から１００ルクス以上低下した値は３秒間しか継続せず、４秒後のＧの時点では照度は約３００ルクスとなっている。従って、Ｆ’における照度から１００ルクス以上低下した値が一定時間継続しなかったため、移行部２０１は、電力消費部７０の動作モードを待機モードのままとする。
【００８３】
ＰＣ１００が設置された環境の照度は、Ｈにおいて低下し、今回取得時（Ｈ）の照度は、前回取得時（Ｈ’）の照度から１００ルクス以上低下した値となっている。そして、Ｈにおいて照度が低下した後、Ｈ’における照度よりも１００ルクス以上低下した値が一定時間継続している。従って、移行部２０１は、Ｈ’における照度よりも１００ルクス以上低下した値が一定時間継続した時点で、電力消費部７０の動作モードを再びスタンバイモードへと移行させる。
【００８４】
ＰＣ１００が設置された環境の照度は、Ｉにおいて上昇し、前回取得時（Ｉ’）の照度と今回取得時（Ｉ）の照度との差が１００ルクス以上となっている。そして、Ｉにおいて照度が上昇した後、Ｉ’における照度よりも１００ルクス以上上昇した値が一定時間継続している。従って、移行部２０１は、Ｉ’における照度よりも１００ルクス以上上昇した値を一定時間継続したＪの時点で、電力消費部７０の動作モードを待機モードへ移行させる。
【００８５】
次に、図１１を用いて、上述の処理に基づくＰＣ１００の動作モードの概要を説明する。図１１は、周囲環境及びユーザ作業に対する、ＰＣ１００の動作モードを示した模式図である。
【００８６】
図１１（Ａ１）は、室内の照明がついている状態で、ユーザがＰＣ１００を使って作業業務を行っている様子を表している。この場合、ＰＣ１００の動作モードは通常モードである。
【００８７】
次に、ユーザがＰＣ１００の電源を切らずにＰＣ１００から離れ、部屋を退出する際に照明を消したとする。図１１（Ａ２）は、室内の照明が消え、ユーザがＰＣ１００を使用していない状態を示している。この図１１（Ａ１）から図１１（Ａ２）への移行時に、光センサ３０で検出する照度の単位時間当たりの減少量が第１のしきい値以上であるならば、ＰＣ１００の動作モードは図１１（Ａ２）に示すように、スタンバイモードへと移行する。
【００８８】
次に、ユーザが入室して室内の照明を点灯し、ＰＣ１００を操作したとする。図１１（Ａ３）は、室内の照明がつき、ユーザがＰＣ１００を使い始めた状態を示している。この図１１（Ａ２）から図１１（Ａ３）への移行時に、光センサ３０で検出する照度の単位時間当たりの増加量が第２のしきい値以上であるならば、ＰＣ１００の動作モードは、待機モードへと移行する。その後、ユーザがＰＣ１００を操作したことを検知すると、ＰＣ１００の動作モードは、通常モードへと移行する。
【００８９】
図１１（Ｂ１）は、室内の照明がついている状態で、ユーザがＰＣ１００をプロジェクタに接続して作業業務を行っている様子を表している。この場合、ＰＣ１００の動作モードは通常モードとなる。
次に、室内の照明を消灯したとする。図１１（Ｂ２）は、室内の照明が消え、ユーザがＰＣ１００をプロジェクタに接続したまま作業業務を行っている様子を示している。図１１（Ｂ１）の状態から図１１（Ｂ２）の状態になる際に、光センサ３０で検出する照度の単位時間あたりの減少量が第１のしきい値以上であったとする。この場合、光センサ３０で検出する照度の単位時間あたりの減少量は第１のしきい値以上ではあるが、ＰＣ１００にケーブルが接続されているため、ＰＣ１００の動作モードは、スタンバイモードへは移行せず、図１１（Ｂ２）に示すように通常モードとなる。
【００９０】
本実施形態によれば、移行部２０１は、光センサ３０によって検出された照度から算出される単位時間あたりの減少量が第１のしきい値以上である場合に、電力消費部７０の動作モードをスタンバイモードに移行させる。移行部２０１は、光センサ３０から取得した照度そのものではなく、照度の単位時間あたりの減少量に基づいて、動作モードを移行するか否かを決定する。これにより、ＰＣ１００が設置された周囲の照度が低い場合、すなわち、暗い場合にも、電力消費部７０の動作モードはスタンバイモードに移行されないため、ユーザの利便性が高まる。一方、ユーザからの操作入力を受付けていない時間が一定時間を越えなくても、単位時間当たりの照度の減少量が第１のしきい値以上であれば、電力消費部７０は、スタンバイモードに移行するため、省電力効果が高まる。また、移行部２０１は、照度が瞬間的に、大きく増加した場合を捉えて、電力消費部７０の動作モードをスタンバイモードに移行させるため、天候や時間帯に依存して緩やかに変化する屋外の明るさの影響を低減した省電力制御を実行できる。
【００９１】
また、本実施形態によれば、移行部２０１は、電力消費部７０の動作モードが通常モードあるいは待機モードにある場合において、照度の単位時間あたりの減少量に基づいて、電力消費部７０の動作モードをスタンバイモードに移行させる。ＰＣ１００が消費する電力を低減するには、スタンバイモードの継続時間を長くすれば良いとも考えられる。しかし、ＰＣ１００が消費する電力に大きく影響するのは、ユーザがＰＣ１００の使用を止めてから、電力消費部７０の動作モードが通常モードからスタンバイモードへと移行するまでの時間である。従って、本実施形態のように、照度の単位時間あたりの減少量を用いることで、ユーザがＰＣ１００の使用を止めたタイミングをより確実に検知できる。その結果、ユーザがＰＣ１００の使用を止めてから、電力消費部７０の動作モードが通常モードからスタンバイモードへと移行するまでの時間を短縮でき、より大きな省電力効果を得ることができる。
【００９２】
また、本実施形態によれば、移行部２０１は、特定のプログラムを実行している、又は、ケーブルを接続している場合には、照度の単位時間あたりの減少量が第１のしきい値以上であっても、省電力モードに移行させず、通常モードで稼働させる。これにより、ユーザのＰＣ１００の使用環境に合わせた省電力制御が可能となり、ユーザの利便性が高まる。
【００９３】
また、本実施形態によれば、移行部２０１は、ＰＣ１００が設置される環境における光の照度に基づいて、第１のしきい値及び第２のしきい値を変更する。これにより、ＰＣ１００が設置されている環境に応じて、動作モードを移行させることができる。例えば、移行部２０１は、ＰＣ１００が設置された環境が明るい場合、天候や時間帯の変化による屋外の明るさの影響とを考慮したしきい値を設定する。これにより、ユーザが予期しないタイミングで電力消費部７０がスタンバイモードに移行する可能性を低減できるため、ユーザの利便性が高まる。また、照度が低い場合に対するしきい値を適切に設定することで、ＰＣ１００が設置されている環境が暗い場合でも、消費電力を低減する制御を実行でき、省電力効果が高まる。なお、移行部２０１は、ＰＣ１００が設置される環境における光の照度に基づいて、第１のしきい値及び第２のしきい値のいずれか一方を変更するようにしても良い。
【００９４】
また、本実施形態によれば、移行部２０１は、照度の単位時間あたりの減少量が第１のしきい値以上であり、かつ、前回取得時の照度から第１のしきい値以上低下した値が一定時間（５秒間）継続してから、スタンバイモードに移行させる。これによれば、ＰＣ１００の設置された部屋の照度が一時的に暗くなった場合には、電力消費部７０はスタンバイモードには移行しない。つまり、照明が誤って消された等の場合には、ＰＣ１００はスタンバイモードに移行しないため、ユーザの利便性が高まる。
【００９５】
また、本実施形態によれば、移行部２０１は、照度の単位時間あたりの増加量が第２のしきい値以上であり、かつ、前回取得時の照度から第２のしきい値以上上昇した値が一定時間（５秒間）継続してから、待機モードに移行させる。これにより、ＰＣ１００が設置された部屋の照度が一時的に明るくなった場合には、電力消費部７０は待機モードに移行しない。つまり、例えば、ＰＣ１００の設置された部屋の照明が消されたが、忘れ物を取りに戻った等の何らかの理由で、一時的に照明が点けられたとする。この場合、一時的に照明がつけられた時間が一定時間を越えなければ、動作モードはスタンバイモードのままになるため、更に省電力効果を高めることができる。なお、本実施形態では、通常モードからスタンバイモードに移行させるか否かを判定するために使用した一定時間と、スタンバイモードから待機モードに移行させるか否かを判定するために使用した一定時間とは、５秒間で同一であった。しかし、各判定で用いられる一定時間は、同一である必要は無い。例えば、通常モードからスタンバイモードに移行させるか否かを判定するために使用する一定時間を３秒とし、スタンバイモードから待機モードに移行させるか否かを判定するために使用した一定時間を２０秒としても良い。これにより、通常モードからスタンバイモードへ移行するまでの時間が短くなり、また、スタンバイモードを継続する可能性が高まるため、更なる省電力効果が期待できる。
【００９６】
また、本実施形態によれば、移行部２０１は、電力消費部７０の動作モードが省電力モードである場合に、照度の単位時間あたりの増加量が、第２のしきい値以上であれば、電力消費部７０の動作モードを待機モードに移行させる。待機モードは通常モードよりも消費電力が少ないため、ユーザがＰＣ１００を使用する予定がないのにも関わらず動作モードを通常モードに移行させることによって消費電力が大きくなることを防止し、省電力効果を高めることができる。また、待機モードでは、情報処理部２０は通常モードで動作するため、ユーザはキーボード６０やマウス等を操作すれば、すぐにＰＣ１００を使用した作業を始められる。従って、ＰＣ１００を使用するユーザの利便性が高まる。
【００９７】
なお、本実施形態では、移行部２０１は、スタンバイモードに移行させるか否の決定に、照度の単位時間あたりの減少量が第１のしきい値以上か否かに加え、前回取得時の照度から第１のしきい値以上低下した値が一定時間継続したか否かも判定条件として採用する。しかし、前回取得時の照度から第１のしきい値以上低下した値が一定時間継続したか否かの判定条件は無くても構わない。つまり、移行部２０１は、照度の単位時間あたりの減少量が第１のしきい値以上か否かの判定結果のみに基づいて、電力消費部７０の動作モードをスタンバイモードへ移行させても良い。
【００９８】
また、本実施形態では、移行部２０１は、待機モードに移行させるか否かの決定に、照度の単位時間あたりの増加量が第２のしきい値以上であるか否かに加え、前回取得時の照度から第２のしきい値以上上昇した値が一定時間継続したか否かも判定条件として採用する。しかし、前回取得時の照度から第２のしきい値以上上昇した値が一定時間継続したか否かの判定条件は無くてもかまわない。つまり、移行部２０１は、照度の単位時間あたりの増加量が第２のしきい値以上であるか否かの判定結果のみに基づいて、電力消費部７０の動作モードを待機モードへ移行させても良い。
【００９９】
さらに、移行部２０１は、スタンバイモードに移行させるか否かを決定する場合にのみ、前回取得時の照度から第１のしきい値以上低下した値が一定時間継続したか否かも判定条件とするようにしても良い。あるいは、移行部２０１は、待機モードに移行させるか否かを決定する場合にのみ、前回取得時の照度から第２のしきい値以上上昇した値が一定時間継続したか否かも判定条件とするようにしても良い。また、移行部２０１は、いずれの場合にも、照度の単位時間あたりの減少量又は増加量のみに基づいて、電力消費部７０の動作モードを決定するようにしても良い。
【０１００】
また、本実施形態では、図５〜図７において、前回取得時の照度が５００ルクス、３００ルクス、及び１００ルクス以上か否かを、第１のしきい値及び第２のしきい値を変更する判定条件としていた。しかし、第１のしきい値及び第２のしきい値を変更する判定条件として用いられる前回取得時の照度は、前述の値に限られるわけではない。例えば、前回取得時の照度が、４００ルクス、２００ルクス、及び５０ルクス以上か否かを第１のしきい値及び第２のしきい値を変更する判定条件としても良い。
【０１０１】
以上、本件の実施形態について詳述したが、本件は係る特定の実施形態に限定されるものではなく、特許請求の範囲に記載された本発明の要旨の範囲内において、種々の変形・変更が可能である。
例えば、本件を、デジタルの画像データを表示するデジタルフォトフレームや、コピー機、ファクシミリ、スキャナ、あるいは、複合機に対しても適用できる。
【０１０２】
実施例では、電力消費部７０が液晶表示部１０及び情報処理部２０を含む場合について説明したが、電力消費部７０は液晶表示部１０のみであっても良い。この場合、通常状態とは入力される映像信号を液晶表示部１０に表示している状態、待機状態とは映像信号を液晶表示部１０に表示しない状態、省電力状態とは液晶表示部１０に対する電力供給を停止させた状態とすることができる。
【０１０３】
また、電力消費部７０は情報処理部２０のみであっても良い。この場合、通常状態とはユーザから受付けた全ての処理を実行できる状態とすることができる。また、待機状態とはＣＰＵ２２のクロック数を通常状態より低くして稼働させた状態、省電力状態とは情報処理部２０の構成要素に対する電力供給を停止させた状態とすることができる。
【符号の説明】
【０１０４】
１０…液晶表示部
２０…情報処理部
３０…光センサ
７０…電力消費部
１００…ＰＣ
１３０…テレビ
２０１…移行部
【図１】
2011013722.tif 000003
【図２】
2011013722.tif 000004
【図３】
2011013722.tif 000005
【図４】
2011013722.tif 000006
【図５】
2011013722.tif 000007
【図６】
2011013722.tif 000008
【図７】
2011013722.tif 000009
【図８】
2011013722.tif 000010
【図９】
2011013722.tif 000011
【図１０】
2011013722.tif 000012
【図１１】
2011013722.tif 000013